(57)【要約】【課題】  シート状媒体の円形の描画領域に形成されている画像を簡素な操作で円形の印刷領域に印刷できる複写装置を提供する。【解決手段】  シート状媒体を読み取ってディジタル画像を出力する読み取り手段と、前記読み取り手段から出力されるディジタル画像であって円形の描画領域に画像が形成されているシート状媒体を読み取って出力されるディジタル画像上の前記描画領域を特定する領域特定手段と、前記ディジタル画像上の前記描画領域が表す画像を円形の印刷領域に位置合わせして印刷する印刷手段と、を備える。【選択図】  図１
2005268923.tif 000002
【特許請求の範囲】
【請求項１】
シート状媒体を読み取ってディジタル画像を出力する読み取り手段と、
前記読み取り手段から出力されるディジタル画像であって円形の描画領域に画像が形成されているシート状媒体を読み取って出力されるディジタル画像上の前記描画領域を特定する領域特定手段と、
前記ディジタル画像上の前記描画領域が表す画像を円形の印刷領域に位置合わせして印刷する印刷手段と、
を備えることを特徴とする複写装置。
【請求項２】
前記円形の印刷領域は、円盤状記憶媒体のレーベル面であることを特徴とする請求項１に記載の複写装置。
【請求項３】
前記シート状媒体は、前記描画領域を特定するためのマークと前記マークで特定される前記描画領域をユーザに案内するガイドとが表記され、
前記領域特定手段は、出力されるディジタル画像上の前記マークを認識し、認識したマークに基づいて当該ディジタル画像上の前記描画領域を特定することを特徴とする請求項１又は２に記載の複写装置。
【請求項４】
前記描画領域に画像が形成されていない前記シート状媒体を印刷するシート印刷手段を更に備えることを特徴とする請求項３に記載の複写装置。
【請求項５】
印刷領域の形状を判別する形状判別手段を更に備え、
前記領域特定手段は、前記形状判別手段で印刷領域の形状が円形であると判別されると前記描画領域を特定することを特徴とする請求項１〜４のいずれか一項に記載の複写装置。
【発明の詳細な説明】
【技術分野】
【０００１】
本発明は、複写装置に関する。
【背景技術】
【０００２】
従来、ＣＤ−Ｒのレーベル面に形成されている画像を読み取って別のＣＤ−Ｒのレーベル面に印刷するレーベル面印刷装置（複写装置）が知られている（例えば特許文献１参照）。しかしながら、特許文献１に記載の複写装置は元になる原稿もＣＤ−Ｒであるため、ユーザは自由な画像をＣＤ−Ｒに印刷することができないという問題がある。
【０００３】
また、ディジタル画像をＣＤ−Ｒのレーベル面に印刷する印刷装置も知られている。従来の印刷装置は具体的にはイメージスキャナやディジタルカメラなどの画像入力装置、パーソナルコンピュータ、プリンタなどで構成される。従来の印刷装置によると、例えば紙に画像を手書きしてイメージスキャナで読み取ることにより、ＣＤ−Ｒのレーベル面に自由な画像を印刷することができる。しかしながら、従来の印刷装置では印刷する領域をパーソナルコンピュータ上で指定する必要があるため、印刷に手間がかかるという問題がある。
【０００４】
【特許文献１】特開２００３−１８７３号公報
【発明の開示】
【発明が解決しようとする課題】
【０００５】
本発明は、かかる問題に鑑みて創作されたものであって、シート状媒体の円形の描画領域に形成されている画像を簡素な操作で円形の印刷領域に印刷できる複写装置を提供することを目的とする。
【課題を解決するための手段】
【０００６】
上記目的を達成するため、本発明に係る複写装置は、シート状媒体を読み取ってディジタル画像を出力する読み取り手段と、前記読み取り手段から出力されるディジタル画像であって円形の描画領域に画像が形成されているシート状媒体を読み取って出力されるディジタル画像上の前記描画領域を特定する領域特定手段と、前記ディジタル画像上の前記描画領域が表す画像を円形の印刷領域に位置合わせして印刷する印刷手段と、を備える。この複写装置によると領域特定手段によって描画領域が特定されるため、ユーザは読み取り手段から出力されたディジタル画像上で描画領域を指定するという操作を行う必要がない。よってこの複写装置によると、シート状媒体の円形の描画領域に形成されている画像を簡素な操作で円形の印刷領域に印刷できる。
【０００７】
さらに本発明に係る複写装置では、前記円形の印刷領域は、円盤状記憶媒体のレーベル面である。この複写装置によると、シート状媒体の円形の描画領域に形成されている画像を円盤状記憶媒体のレーベル面に複写できる。
さらに本発明に係る複写装置では、前記シート状媒体は、前記描画領域を特定するためのマークと前記マークで特定される前記描画領域をユーザに案内するガイドとが表記され、前記領域特定手段は、出力されるディジタル画像上の前記マークを認識し、認識したマークに基づいて当該ディジタル画像上の前記描画領域を特定する。マークを表記すると、ディジタル画像上の前記描画領域を正確に特定できる。また、ガイドを表記すると、ユーザは描画領域を目視で把握できるので、円形の描画領域内に画像を形成することが容易になる。
【０００８】
さらに本発明に係る複写装置では、前記描画領域に画像が形成されていない前記シート状媒体を印刷するシート印刷手段を更に備える。描画領域に画像が形成されていないシート状媒体を印刷できるため、ユーザは描画領域に例えば手書きによって自由な画像を形成することができ、また、手書きした画像が気に入らなければシート状媒体を印刷することにより何度でもやり直すことができる。
【０００９】
さらに本発明に係る複写装置では、印刷領域の形状を判別する形状判別手段を更に備え、前記領域特定手段は、前記形状判別手段で印刷領域の形状が円形であると判別されると前記描画領域を特定する。形状判別手段を備えると、ユーザは印刷領域の形状が円形であることを複写装置に対して指定する操作が不要となり、より簡素な操作で円形の印刷領域に印刷できる。
【００１０】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００１１】
以下、本発明を実施するための最良の形態を実施例に基づいて説明する。
（第一実施例）
第一実施例では、円形の印刷領域として円盤状記憶媒体のレーベル面、具体的にはＣＤ−Ｒ（Compact Disc - Recordable）のレーベル面を例に説明する。
【００１２】
図２は、本発明の第一実施例に係る複写装置としての複合機１の斜視図である。複合機１は読み取り手段としてのスキャナ部と印刷手段としてのプリンタ部とを一体に備えている。複合機１の筐体はスキャナ部を収容するスキャナユニット１０とプリンタ部を収容するプリンタユニット１１とで構成されており、スキャナユニット１０はプリンタユニット１１にヒンジにより揺動自在に連結されている。
【００１３】
図３は、複合機１の模式図である。
スキャナ部２０は、光学系２１、リニアイメージセンサ２２、光学系２１とリニアイメージセンサ２２とを図３に示すα方向（副走査方向）に搬送するキャリッジ２３などを備えている。光学系２１は、光源２１ａ、ミラー２１ｂ及びレンズ２１ｃなどで構成されている。光源２１ａは蛍光管ランプ等の管照明装置で構成され、ミラー２１ｂ及びレンズ２１ｃは光源２１ａによって照射されたシート状媒体Ｍの走査線上の光学像をリニアイメージセンサ２２に結像させる。リニアイメージセンサ２２はＲＧＢ各色の受光素子が図３において紙面垂直方向に直線状に並ぶ姿勢でキャリッジ２３に搭載されている。リニアイメージセンサ２２は、光学系２１により入力される走査線上の光学像を走査してその光学像の濃淡に相関する電気信号を出力する。画像処理部２４は、リニアイメージセンサ２２から出力される電気信号に対して各種の処理を施してディジタル画像を生成する。
【００１４】
プリンタ部３０は、記録ヘッド３１、記録ヘッド３１と図示しないインクカートリッジとを紙面垂直方向（主走査方向）に搬送するキャリッジ３２、用紙搬送機構、ディスクトレイ３９の有無を検知するトレイ検知センサ３３、ディスクトレイ３９の紙送り方向の位置を検出するための光学センサ３４などを備えている。記録ヘッド３１は例えばインクを吐出するノズル、ピエゾ素子、インク通路などを備え、キャリッジ３２に搬送されて主走査方向に往復移動しつつインク滴を吐出することにより画像を形成する。プリンタユニット１１には印刷用紙を供給するための給紙口３５、及び印刷後の印刷用紙を排出するための排紙口３６が形成されており、用紙搬送機構は給紙口３５から供給される印刷用紙を排紙口３６側へ搬送する。以後の説明では給紙口３５側から排紙口３６側へ向かう方向を紙送り方向という。用紙搬送機構は、記録ヘッド３１の給紙口３５側に設けられている搬送ローラ、排紙口３６側に設けられている排紙ローラ、図示しない駆動モータなどを備えている。搬送ローラは搬送駆動ローラ３７ａと搬送従動ローラ３７ｂとで構成されている。排紙ローラは排紙駆動ローラ３８ａと排紙従動ローラ３８ｂとで構成されている。駆動モータの回転は図示しない歯車列によって搬送駆動ローラ３７ａ及び排紙駆動ローラ３８ａに伝達される。また、第一実施例の用紙搬送機構は排紙口３６側から挿入されるディスクトレイ３９の搬送も行う。ディスクトレイ３９については後述する。用紙搬送機構は駆動モータを正転または逆転することによりディスクトレイ３９を紙送り方向及びその逆方向に搬送する。トレイ検知センサ３３は、ディスクトレイ３９の装着の有無を検知するためのセンサである。第一実施例ではＣＤ−Ｒ４０に画像を印刷するときユーザは始めにディスクトレイ３９を案内及び支持する図示しない支持部材を排紙口３６側から挿入し、排紙口３６側から支持部材に案内されつつディスクトレイ３９を挿入するものとする。トレイ検知センサ３３は、ディスクトレイ３９の進路上に設けられる揺動部材と揺動部材の揺動によってオン／オフされるスイッチとで構成される。ディスクトレイ３９を排紙口３６側から所定の位置まで挿入すると揺動部材が揺動されてスイッチがオンになる。制御部４１はＣＤ−Ｒ４０への印刷が指示されると当該スイッチがオンであればプリンタ部３０を制御して印刷を開始し、オフであれば印刷を行わず警告を発する。光学センサ３４は、光電変換素子などで構成され、ディスクトレイ３９からの反射光を電気信号に変換して制御部４１に出力する。なお、第一実施例では１２ｃｍのＣＤ−Ｒ４０を例に説明するが、それに加えて８ｃｍのＣＤ−Ｒにも印刷できるようにしてもよい。その場合は印刷時にユーザがＣＤ−Ｒのサイズを指定するようにしてもよいし、サイズを検出するためのセンサを別途備えてもよい。
【００１５】
制御部４１は、ＣＰＵ、ＲＯＭ及びＲＡＭなどを備えている。ＣＰＵはＲＯＭに記憶されたコンピュータプログラムを実行して複合機１の各部を制御する。また、ＣＰＵはＲＯＭに記憶されている複写プログラムを実行することで読み取り手段、領域特定手段、及び印刷手段としても機能する。ＲＯＭは各種のプログラムやデータを記憶しているメモリであり、ＲＡＭは各種のプログラムやデータを一時的に記憶するメモリである。これら各種のプログラムやデータは所定のサーバからネットワークを介してダウンロードして入力してもよいし、リムーバブルメモリ等のコンピュータ読み取り可能な記憶媒体から読み出して入力してもよい。
【００１６】
操作部４２は、図２に示すように各種のメニューを表示するためのＬＣＤ４２ａ、ＬＣＤ４２ａに表示されたメニューを選択するための複数の押しボタンスイッチなどを備える。
次に、ディスクトレイ３９について説明する。
図４は、ディスクトレイ３９の模式図である。ディスクトレイ３９はＣＤ−Ｒ４０のレーベル面に画像を印刷する際にＣＤ−Ｒ４０を支持するものである。ディスクトレイ３９はプラスチックなどの原料で平板状に形成され、黒色に着色されている。ディスクトレイ３９にはＣＤ−Ｒ４０を収納するための円形に凹む収納部４３が形成されている。収納部４３の凹みの深さは概ねＣＤ−Ｒ４０の厚みに一致する。収納部４３の中央にはＣＤ−Ｒ４０の中央に形成されている穴と同径の嵌合凸部４４が形成されている。ＣＤ−Ｒ４０は中央に形成されている穴が嵌合凸部４４に勘合されてディスクトレイ３９に保持される。また、ディスクトレイ３９にはＣＤ−Ｒ４０の大きさ及び位置を認識するための反射率の高い印４５が所定の位置に表記されている。印４５で反射した光はそれ以外の領域で反射した光に比べて明るい光として光学センサ３４に入射するため、制御部４１は光学センサ３４からの出力信号の強弱によって印４５とそれ以外の領域とを識別することにより印４５の位置を認識する。
【００１７】
次に、マークとガイドとが表記されているシート状媒体について説明する。
図５は、マーク５１とガイド５２とが表記されているシート状媒体５０を示す模式図である。図示するシート状媒体５０は画像が形成される前のものである。マーク５１は複合機１がディジタル画像上で描画領域を特定するために設けられている。第一実施例では図示するようにマーク５１を三角形で表記している。マーク５１は円形の描画領域を囲む仮想的な正四角形の頂点にそれぞれ一つ、計４つ表記されている。複合機１は、正四角形の２つの対角線の交点を描画領域の中心として予め設定されている所定の半径で特定される円形の領域を描画領域として特定する。なお、描画領域の中心を特定できるのであればマークは４つ以外であってもよいし且つどのように配置してもよい。複合機１にとってはマーク５１だけで描画領域を特定できるが、ユーザはマーク５１だけでは描画領域を正確に把握できない。このため第一実施例では図示するように描画領域の外枠を表す線、すなわち円形のガイド５２を表記している。ＣＤ−Ｒの中心にはＣＤ−Ｒを読み取り装置に保持させるための穴と当該穴の周囲の透明な領域とからなる印字不可能領域があるため、シート状媒体５０には印字不可能領域に対応する領域を表す円形のガイド５３が更に表記されている。ガイド５２及び５３を表記すると、ユーザはガイド５２とガイド５３との間の領域内に画像を形成することにより、印刷したときに画像がＣＤ−Ｒのレーベル面からはみ出さないようにすることができる。なお、複合機１はガイド５２及び５３を画像処理によって認識することにより描画領域を認識するようにしてもよく、その場合はマーク５１は不要である。描画領域には写真などの画像をプリンタで形成することもできるし、イラストや文字などの画像を手書きで形成することもできる。第一実施例では手書きされるものとして以後の説明ではマーク５１とガイド５２とが表記されているシート状媒体のことを手書きシートというものとする。
【００１８】
次に、複写プログラムについて説明する。
図６は、複写プログラムの論理的な構成を示すブロック図である。複写プログラムは、ＧＵＩ部６１、読み取り部６２、領域特定部６３、及び印刷部６４を備える。
ＧＵＩ部６１は、ユーザが複写を指示するためのＧＵＩを提供する。具体的には、ＧＵＩ部６１はユーザが各種の印刷を指示するためのメニューを操作部４２のＬＣＤ４２ａに表示する。手書きシートの描画領域に形成された画像をＣＤ−Ｒのレーベル面にコピーする場合（以下「ＣＤ−Ｒコピー」という）、ユーザはスキャナ部２０のプラテンガラス１８（図３参照）に手書きシートを読み取り可能に載置すると共に、ディスクトレイ３９にＣＤ−Ｒを支持させて複合機１にセットする。次に、上述したメニューで「ＣＤ−Ｒコピー」を選択する。これによりＣＤ−Ｒコピーが開始される。また、ＧＵＩ部６１は後述する領域特定部６３でプレビュー用の円形のディジタル画像が生成されると当該ディジタル画像をＬＣＤ４２ａに表示する。ユーザは表示されたディジタル画像が気に入らなければ操作部４２を操作してＣＤ−Ｒコピーをキャンセルすることもできる。印刷を実行してよければ所定のボタンを押下して印刷開始を指示する。なお、複合機１の操作部４２には［コピー］ボタンが設けられており、［コピー］ボタンが押下されたときはスキャナ部２０で読み取った原稿がプリンタ部３０で印刷される、すなわち原稿が複写されるものとする。しかしながら、ＣＤ−Ｒへの印刷の場合は描画領域を特定する処理などが必要であるため、複合機１では［コピー］ボタンではなくメニューで「ＣＤ−Ｒコピー」が選択されたときＣＤ−Ｒへの複写を行うものとする。なお、［ＣＤ−Ｒコピー］ボタンを設けてもよい。
【００１９】
読み取り部６２は、複写が指示されるとスキャナ部２０を制御して手書きシートをプレスキャンし、当該手書きシートを表すディジタル画像を出力する。また、前述したＧＵＩ部６１で印刷開始が指示されると、読み取り部６２は当該手書きシートの少なくとも領域特定部６３で特定された描画領域が含まれる範囲を本スキャンする。本スキャンする範囲は少なくとも描画領域が含まれていれば任意に設定してよい。なお、読み取り部６２は原稿が手書きシートであるか否かを判定し、手書きシートの場合は描画領域周辺のみをプレスキャンするようにしてもよい。例えば「ＣＤ−Ｒコピー」が選択されたときは手書きシートであると判定し、図７に示すように描画領域とマーク５１とが含まれる矩形の領域５４だけをプレスキャンする。これによりプレスキャンに要する時間を短縮できる。また、手書きシートであるか否かは判定せず、手書きシートであっても通常の原稿と同様に用紙サイズを検知して原稿全体をプレスキャンしてもよい。
【００２０】
領域特定部６３は、読み取り部６２でプレスキャンされて出力されたディジタル画像上の描画領域を特定する。具体的には、領域特定部６３は出力されたディジタル画像に対して画像認識処理を施し、マーク５１を表している画素を特定する。次に、特定した画素により形成される三角形の頂点に位置する画素（頂点画素）を特定する。ここでいう頂点とは３つの頂点のうち描画領域の中心を向く頂点のことをいう。これを各マーク５１について繰り返すことにより４つのマーク５１について頂点画素をそれぞれ特定する。次に、特定した４つの頂点画素に基づいてディジタル画像上の描画領域の中心の画素を特定する。次に、描画領域の中心の画素を中心点としＣＤ−Ｒの半径に応じた所定の半径で特定される円の内側をディジタル画像上の描画領域として特定する。描画領域を特定すると、領域特定部６３は特定した描画領域を構成する画素値に基づいてプレビュー用の円形のディジタル画像（以下「プレビュー画像」という）を生成する。
【００２１】
印刷部６４は、プリンタ部３０を制御し、領域特定部６３で特定された描画領域が表す画像をＣＤ−Ｒのレーベル面に印刷する。具体的には、印刷部６４は光学センサ３４からの出力信号に基づいてディスクトレイ３９を紙送り方向の前後に移動させることにより、描画領域が表す画像を印刷したとき印刷した画像の中心がＣＤ−Ｒの中心に一致するようＣＤ−Ｒの位置を合わせる。以後、読み取り部６２で本スキャンを行ってディジタル画像が所定ライン分読み取られると、読み取られたライン分のデータから領域特定部６３で特定した描画領域に該当する画素だけを抽出することにより、所定ライン分づつリアルタイムで円形にマスクしてＣＤ−Ｒのレーベル面に印刷する。所定ライン分とはイメージセンサが１ライン構成であれば１ライン分であり、３ライン構成であれば３ライン分である。なお、ＣＤ−Ｒへの印刷ではＣＤ−Ｒの外周に余白を設けるようにしてもよいし、余白を設けずフチ無し印刷してもよい。ただし、前述したようにＣＤ−Ｒの中心には印字不可能領域があるため、印字不可能領域に対応する画素は除外するものとする。
【００２２】
また、印刷部６４は手書きシートの印刷も行う。ユーザがＧＵＩ部６１で所定の操作を行うことにより手書きシートの印刷を指示すると、印刷部６４はＲＯＭに記憶されている印刷データに基づいてプリンタ部３０を制御することにより描画領域に画像が形成されていない手書きシートを印刷する。このためユーザは描画領域に手書きによって画像を形成することができ、また、手書きした画像が気に入らなければ手書きシートを印刷することにより何度でもやり直すことができる。
【００２３】
次に、複写装置の作動について説明する。
図８は、複写装置の処理の流れを示すフローチャートである。
Ｓ１０５では、コピーの指示を受け付ける。具体的には、ユーザは手書きシート及びＣＤ−Ｒをセットし、操作部４２を操作して「ＣＤ−Ｒコピー」を選択する。複合機１は「ＣＤ−Ｒコピー」が選択されることによりコピーの指示を受け付ける。
【００２４】
Ｓ１１０では、ディスクトレイ３９の有無を検知する。ディスクトレイ３９が挿入されていればＳ１１５に進み、挿入されていなければＳ１４５でＬＣＤ４２ａに警告メッセージを表示して処理を終了する。
Ｓ１１５では、手書きシートを５０〜１００ｄｐｉ程度の低解像度でプレスキャンしてディジタル画像を生成する。
【００２５】
Ｓ１２０では、プレスキャンにより生成したディジタル画像上の描画領域を特定する。
Ｓ１２５では、特定した描画領域に基づいて円形のプレビュー画像を生成する。
Ｓ１３０では、プレビュー画像を表示し、印刷開始またはキャンセルのいずれかの指示を受け付ける。キャンセルが指示されたときは処理を終了する。印刷開始が指示されたときはＳ１３５に進む。
【００２６】
Ｓ１３５では、手書きシートの描画領域が含まれる範囲を例えば３００ｄｐｉの高解像度で所定ラインずつ本スキャンし、Ｓ１４０では所定ライン分のデータが出力される毎にリアルタイムで円形にマスクしてＣＤ−Ｒのレーベル面に印刷する。これを当該範囲の本スキャンが終了するまで繰り返す。
図１は、印刷結果を示す模式図である。図示するように手書きシートの描画領域に手書きされた絵がＣＤ−Ｒのレーベル面に印刷される。
【００２７】
以上説明した本発明の第一実施例に係る複合機１によると、ユーザは手書きシートとＣＤ−Ｒとをセットした後は「ＣＤ−Ｒコピー」を選択してプレビュー画面で印刷開始を指示するだけでＣＤ−Ｒのレーベル面に画像を印刷することができる。このため手書きシートをイメージスキャナに読み取らせた後にパーソナルコンピュータで印刷領域を指定するというような操作を行う必要がない。よって複合機１によると、手書きシートの円形の描画領域に形成されている画像を簡素な操作でＣＤ−Ｒのレーベル面に印刷できる。
【００２８】
なお、第一実施例では本スキャンで所定ライン分読み取る毎にリアルタイムでマスクして印刷しているが、描画領域が含まれる範囲全体の本スキャンが完了してから印刷を実行してもよい。その場合、本スキャンによって生成したディジタル画像から描画領域に該当する画素を抽出して印刷用のデータを生成してもよいし、円形のディジタル画像を生成し、生成した円形のディジタル画像から印刷用のデータを生成してもよい。
【００２９】
また、第一実施例では本スキャンしたディジタル画像上の描画領域を特定するために予めプレスキャンを実行しているが、プレスキャンを行わず、本スキャンで生成したディジタル画像上で描画領域を特定して当該特定した領域が表す画像をレーベル面に印刷してもよい。
また、第一実施例では円形の印刷領域としてＣＤ−Ｒのレーベル面を例に説明したが、円形の印刷領域はＣＤ−ＲＯＭ（Compact Disc - Read Only Memory）、ＣＤ−ＲＷ（Compact Disc - ReWritable）、ＤＶＤ（Digital Versatile Disc）などのような円盤状記憶媒体のレーベル面であってもよい。
【００３０】
また、円形の印刷領域は円盤状記憶媒体のレーベル面以外であってもよく、例えば円形の紙に印刷してもよい。具体的には例えば矩形の台紙に貼られた円形のシールに印刷してもよい。
また、第一実施例では複写装置として複合機１を例に説明したが、複写装置はイメージスキャナ、パーソナルコンピュータ（ＰＣ）、及びプリンタで構成してもよいし、ＰＣによる制御を必要としない所謂スタンドアロンのプリンタとイメージスキャナとで構成してもよい。また、イメージスキャナではなくディジタルカメラで手書きシートを読み取ってもよい。
【００３１】
（第二実施例）
第二実施例は、マスク画像を用いて描画領域を特定する例である。
図９は、マスク画像を示す模式図である。マスク画像７０は１チャンネルのみで構成されるＪＰＥＧ形式のディジタル画像である。マスク画像７０は描画領域の形状を表す画像であり、マスク画像７０を構成する各画素の画素値にはその位置に応じて０又は２５５のいずれか一方が設定されている。図９では描画領域を表す領域を白抜き、それ以外の領域を網掛けで表示している。白抜き領域の画素の画素値には例えば０（ゼロ）が設定され、網掛け領域の画素の画素値には例えば２５５が設定されている。マスク画像７０上の描画領域を表す領域の中心画素を特定する情報は予めフラッシュメモリに記憶されているものとする。領域特定部６３は第一実施例と同様に４つのマーク５１を認識してディジタル画像上の描画領域の中心画素を求める。次に、マスク画像７０を用いてディジタル画像上の描画領域を特定する。具体的には、ディジタル画像上の描画領域の中心画素とマスク画像７０上の描画領域を表す領域の中心画素とが重なるようにディジタル画像とマスク画像７０とを重ね合わせる。ここで重ね合わせるとは画素同士を一対一に対応付けることをいう。次に、ディジタル画像を構成する各画素について、当該画素に対応するマスク画像７０側の画素の画素値が０であれば当該画素は描画領域を構成する画素であると判定する。２５５であればそれ以外の領域を構成する画素であると判定する。この結果、ディジタル画像において描画領域を構成する画素が特定される。これによりディジタル画像上の描画領域が特定される。
【００３２】
第二実施例はその他の点において第一実施例と実質的に同一である。
（第三実施例）
第三実施例は、ユーザが印刷領域の形状を指定するのではなく複合機が印刷領域の形状を判別する例である。第三実施例の複合機は印刷領域の形状が円形であると判別するとＣＤ−Ｒコピーを開始する。
【００３３】
第三実施例の複合機は、操作部４２の［コピー］ボタンが押下されると、トレイ検知センサ３３によりディスクトレイ３９の有無を検知する。特許請求の範囲に記載の形状判別手段はトレイ検知センサ３３に相当する。ディスクトレイ３９はＣＤ−Ｒを支持するためのものであるため、第三実施例の複合機はディスクトレイ３９が有ることを検知した場合は印刷領域の形状は円形であると判別する。印刷領域の形状が円形であると判別した場合、複合機は第一実施例と同様にして手書きシート上の描画領域をＣＤ−Ｒのレーベル面に印刷する処理を実行する。ディスクトレイ３９が無ければ通常のコピーを実行する。
【００３４】
第三実施例はその他の点において第一実施例と実質的に同一である。
第三実施例の複合機によると、原稿をコピーするときと同様に［コピー］ボタンを押下することでＣＤ−Ｒのレーベル面に印刷することができ、ユーザにとって操作が判り易い。
【図面の簡単な説明】
【００３５】
【図１】本発明の一実施例に係るシート状媒体及び印刷領域の模式図。
【図２】本発明の一実施例に係る複写装置の斜視図。
【図３】本発明の一実施例に係る複写装置の模式図。
【図４】本発明の一実施例に係るディスクトレイの模式図。
【図５】本発明の一実施例に係るシート状媒体の模式図。
【図６】本発明の一実施例に係るプログラムのブロック図。
【図７】本発明の一実施例に係るシート状媒体の模式図。
【図８】本発明の一実施例に係るフローチャートの模式図。
【図９】本発明の一実施例に係るマスク画像の模式図。
【符号の説明】
【００３６】
１  複合機（複写装置）、１９  原稿カバー、２０  スキャナ部（読み取り手段）、３０  プリンタ部（印刷領域）、４０  ＣＤ−Ｒ（円盤状記憶媒体）、４１  制御部（読み取り手段、領域特定手段、印刷領域、形状判別手段）、５０  手書きシート（シート状媒体）、５１  マーク、５２  ガイド
【図１】
2005268923.tif 000003
【図２】
2005268923.tif 000004
【図３】
2005268923.tif 000005
【図４】
2005268923.tif 000006
【図５】
2005268923.tif 000007
【図６】
2005268923.tif 000008
【図７】
2005268923.tif 000009
【図８】
2005268923.tif 000010
【図９】
2005268923.tif 000011